(57)【要約】【課題】本発明は反復画像に対する表示品質を改善するための光源駆動方法を提供する。【解決手段】少なくとも１つのフレーム期間の間、画像を表示する表示パネルに光を提供する光源部の光源駆動方法であって、画像データに基づき、光の輝度を制御するディミングレベルを決定し、現在の画像の１つ前の画像のディミングレベルに基づき、現在の画像のディミングレベルが反復ディミングモードであるか否かを検出し、反復ディミングモードであると検出された場合、現在の画像のディミングレベルを、あらかじめ設定された固定ディミングレベルに設定することを含む。反復ディミングモードを設定する段階は現在の画像の第１ディミングレベルと１つ前の画像の第２ディミングレベルとを比較し、現在の画像が変更されたか否かを判断し、現在の画像の第１ディミングレベルと２つ前の画像の第３ディミングレベルとを比較し、現在の画像の反復の有無を判断する。【選択図】図２
2015052783.tif 000002
【特許請求の範囲】
【請求項１】
少なくとも１つのフレーム期間の間、画像を表示する表示パネルと、
画像データを用いて前記表示パネルを駆動するデータ駆動部と、
前記表示パネルに光を提供する光源部と、
前記画像データに基づき、前記光の輝度を制御するディミングレベルを決定し、現在の画像の１つ前の画像のディミングレベルに基づき、前記現在の画像のディミングレベルが反復ディミングモードであるか否かを検出し、前記反復ディミングモードである場合、前記現在の画像のディミングレベルを、あらかじめ設定された固定ディミングレベルに設定する光源駆動部を含む表示装置。
【請求項２】
前記光源駆動部は、
前記画像データに基づき、前記ディミングレベルを決めるディミングレベル決定部と、
前記現在の画像の第１ディミングレベルと前記１つ前の画像の第２ディミングレベルとを比較し、前記現在の画像の第１ディミングレベルと２つ前の画像の第３ディミングレベルとを比較し、前記反復ディミングモードを検出する反復検出部を含み、
前記反復検出部は、前記反復ディミングモードである場合、前記現在の画像のディミングレベルを前記固定ディミングレベルに設定することを特徴とする請求項１に記載の表示装置。
【請求項３】
前記反復検出部は、
前記第２ディミングレベルが第１基準値より大きいか、または第２基準値より小さい場合に、前記第１ディミングレベル、第２ディミングレベルおよび第３ディミングレベルを保存し、
前記第１基準値は、前記第１ディミングレベルに第１許容値を足した値であり、前記第２基準値は、前記第１ディミングレベルから前記第１許容値を引いた値であることを特徴とする請求項２に記載の表示装置。
【請求項４】
前記第２ディミングレベルが前記第１基準値より小さいか、または前記第２基準値より大きい場合に、前記現在の画像のディミングレベルは前記ディミングレベル決定部で決定された前記第１ディミングレベルに設定されることを特徴とする請求項３に記載の表示装置。
【請求項５】
前記反復検出部は、前記第３ディミングレベルが第３基準値より小さいか、または第４基準値より大きい場合に、前記反復ディミングモードを検出し、前記第３基準値は、前記第１ディミングレベルに第２許容値を足した値であり、前記第４基準値は、前記第１ディミングレベルから前記第２許容値を引いた値であることを特徴とする請求項２に記載の表示装置。
【請求項６】
前記第３ディミングレベルが前記第３基準値より大きいか、または前記第４基準値より小さい場合に、前記現在の画像のディミングレベルは、前記ディミングレベル決定部で決定された前記第１ディミングレベルに設定されることを特徴とする請求項５に記載の表示装置。
【請求項７】
前記反復検出部は、前記現在の画像の第１ディミングレベルと前記１つ前の画像の第２ディミングレベルのうちの１つを前記固定ディミングレベルに設定することを特徴とする請求項２に記載の表示装置。
【請求項８】
前記反復検出部は、前記現在の画像の第１ディミングレベルと前記１つ前の画像の第２ディミングレベルのうち、大きい方の値または小さい方の値を前記固定ディミングレベルに設定することを特徴とする請求項２に記載の表示装置。
【請求項９】
前記光源駆動部は、前記ディミングレベル決定部および前記反復検出部から提供されたディミングレベルを、時間的および空間的ローパスフィルタを介して補正するディミングレベル補正部をさらに含むことを特徴とする請求項２に記載の表示装置。
【請求項１０】
前記ディミングレベル補正部から受信した補正ディミングレベルに基づき、前記画像データを補正し、前記データ駆動部に提供する画素補正部をさらに含むことを特徴とする請求項９に記載の表示装置。
【発明の詳細な説明】
【技術分野】
【０００１】
本発明は、光源駆動方法およびそれを行う表示装置に関し、詳細には表示品質を向上させるための光源駆動方法およびそれを行う表示装置に関する。
【背景技術】
【０００２】
一般的に、液晶表示装置は液晶の光透過率を用い、画像を表示する液晶表示パネルおよび前記液晶表示パネルの下部に配置され前記液晶表示パネルに光を提供するバックライトユニットを含む。
【０００３】
液晶表示パネルは、画素電極および画素電極に電気的に接続する薄膜トランジスタを有するアレイ基板、共通電極およびカラーフィルタを有するカラーフィルタ基板、並びにアレイ基板およびカラーフィルタ基板の間に介在する液晶層を含む。液晶層は画素電極および共通電極の間に形成された電界によって配列が変化し、それにより、液晶層を透過する光の透過率が変化する。ここで、光の透過率が最大になると、液晶表示パネルに輝度の高いホワイト画像が表示され、反面、光の透過率が最小になると、液晶表示パネルに輝度の低いブラック画像が表示される。
【０００４】
近年、バックライトユニットの消費電力を減らすために、バックライトユニットから発生する光の輝度を液晶表示パネルに表示される画像の階調に応じて調節することが行われている。この場合、液晶表示パネルに供給される画像データとバックライトユニットに提供される輝度データは同時に変更される。一般的に、画像データに対する液晶表示パネルの応答速度は輝度データに対するバックライトユニットの応答速度より遅い。液晶表示パネルの応答速度とバックライトユニットの応答速度の差によって、視聴者の目には点滅（ｂｌｉｎｋｉｎｇ）現象などが視認される。
【先行技術文献】
【特許文献】
【０００５】
【特許文献１】米国特許第２００９−１０２７８３号明細書
【特許文献２】米国特許第８１８４０８９号明細書
【特許文献３】米国特許第７７３３３５８号明細書
【発明の概要】
【発明が解決しようとする課題】
【０００６】
本発明が解決しようとする課題は、このような従来の問題点を解決することにあり、本発明の目的は、反復画像（ｒｅｐｅｔｉｔｉｖｅ  ｐｉｃｔｕｒｅ）に対する表示品質を改善するための光源駆動方法を提供することにある。
【０００７】
本発明の他の目的は、そのような光源駆動方法を行う表示装置を提供することにある。
【課題を解決するための手段】
【０００８】
上記した本発明の目的を達成するための一実施例に係る光源駆動方法は、少なくとも１つのフレーム期間の間、画像を表示する表示パネルに光を提供する光源部の光源駆動方法であって、画像データに基づき、前記光の輝度を制御するディミングレベルを決定し、現在の画像の１つ前の画像のディミングレベルに基づき、現在の画像のディミングレベルが反復ディミングモードであるか否かを検出し、前記反復ディミングモードである場合、前記現在の画面のディミングレベルを、あらかじめ設定された固定ディミングレベルに決定することを含む。
【０００９】
本発明の一実施例において、前記反復ディミングモードを検出することは、前記現在の画像の第１ディミングレベルと前記１つ前の画像の第２ディミングレベルとを比較し、前記現在の画像が変更されたか否かを判断し、前記現在の画像の第１ディミングレベルと２つ前の画像の第３ディミングレベルとを比較し、前記現在の画像の反復の有無を判断することを含んでもよい。
【００１０】
一実施例において、前記現在の画像が変更されたか否かを判断する段階は前記第２ディミングレベルが第１基準値より大きいか又は第２基準値より小さい場合に、前記現在の画像が変更されたと判断することを含んでもよい。
【００１１】
一実施例において、前記第１基準値は、前記第１ディミングレベルに第１許容値を足した値であり、前記第２基準値は、前記第１ディミングレベルから前記第１許容値を引いた値であってもよい。
【００１２】
一実施例において、前記現在の画像の反復の有無を判断することは、前記第３ディミングレベルが第３基準値より小さいか、または、前記第４基準値より大きい場合に、前記現在の画像が反復画像であると判断することを含んでもよい。
【００１３】
一実施例において、前記第３基準値は、前記第１ディミングレベルに第２許容値を足した値であり、前記第４基準値は、前記第１ディミングレベルから前記第２許容値を引いた値であってもよい。
【００１４】
一実施例において、前記光源駆動方法は、前記現在の画像が変更されたと判断した場合、前記第１ディミングレベル、第２ディミングレベルおよび第３ディミングレベルを保存することをさらに含んでもよい。
【００１５】
一実施例において、前記光源駆動方法は、設定されたディミングレベルの反復パターンに基づき、前記現在の画像を反復ディミングモードで駆動することをさらに含んでもよい。
【００１６】
一実施例において、前記固定ディミングレベルは、前記現在の画像の第１ディミングレベルと前記１つ前の画像の第２ディミングレベルのうちの１つであってもよい。
【００１７】
一実施例において、前記固定ディミングレベルは、前記現在の画像の第１ディミングレベルと前記１つ前の画像の第２ディミングレベルのうち、大きい方の値または小さい方の値であってもよい。
【００１８】
上記した本発明の他の目的を達成するための一実施例に係る表示装置は、少なくとも１つのフレーム期間の間画像を表示する表示パネル、画像データを用いて前記表示パネルを駆動するデータ駆動部、前記表示パネルに光を提供する光源部および前記画像データに基づいて前記光の輝度を制御するディミングレベルを決定し、現在の画像の１つ前の画像のディミングレベルに基づき、現在の画像のディミングレベルが反復ディミングモードであるか否かを検出し、前記反復ディミングモードである場合、前記現在の画像のディミングレベルを設定された固定ディミングレベルに設定する光源駆動部を含む。
【００１９】
一実施例において、前記光源駆動部は、前記画像データに基づき、前記ディミングレベルを決定するディミングレベル決定部および前記現在の画像の第１ディミングレベルと前記１つ前の画像の第２ディミングレベルとを比較し、前記現在の画像の第１ディミングレベルと２つ前の画像の第３ディミングレベルとを比較し、前記反復ディミングモードを検出する反復検出部を含んでもよく、前記反復検出部は前記反復ディミングモードである場合、前記現在の画像のディミングレベルを前記固定ディミングレベルに設定してもよい。
【００２０】
一実施例において、前記反復検出部は前記第２ディミングレベルが第１基準値より大きいかまたは第２基準値より小さい場合、前記現在の画像が変更されたと判断してもよく、前記第１ディミングレベル、第２ディミングレベルおよび第３ディミングレベルを保存してもよく、前記第１基準値は前記第１ディミングレベルに第１許容値を足した値であり、前記第２基準値は前記第１ディミングレベルから前記第１許容値を引いた値であってもよい。
【００２１】
一実施例において、前記第２ディミングレベルが前記第１基準値より小さいか、または前記第２基準値より大きい場合、前記現在の画像のディミングレベルは前記ディミングレベル決定部で決定された前記第１ディミングレベルに設定されてもよい。
【００２２】
一実施例において、前記反復検出部は、前記第３ディミングレベルが第３基準値より小さいか、または、前記第４基準値より大きい場合、前記現在の画像が反復画像であると判断してもよく、設定されたディミングレベルの反復パターンに基づき、前記反復ディミングモードが検出されてもよく、前記第３基準値は前記第１ディミングレベルに第２許容値を足した値であり、前記第４基準値は前記第１ディミングレベルから前記第２許容値を引いた値であってもよい。
【００２３】
一実施例において、前記第３ディミングレベルが第３基準値より大きいか、または前記第４基準値より小さい場合、前記現在の画像のディミングレベルは前記ディミングレベル決定部で決定された前記第１ディミングレベルに設定されてもよい。
【００２４】
一実施例において、前記反復検出部は、前記現在の画像の第１ディミングレベルと前記１つ前の画像の第２ディミングレベルのうちの１つを前記固定ディミングレベルに設定してもよい。
【００２５】
一実施例において、前記反復検出部は、前記現在の画像の第１ディミングレベルと前記１つ前の画像の第２ディミングレベルのうち、大きい方の値または、小さい方の値を前記固定ディミングレベルに設定してもよい。
【００２６】
一実施例において、前記光源駆動部は、前記ディミングレベル決定部および前記反復検出部から提供されたディミングレベルを、時間的および空間的ローパスフィルタを介して補正するディミングレベル補正部をさらに含んでもよい。
【００２７】
一実施例において、前記表示装置は、前記ディミングレベル補正部から受信した補正ディミングレベルに基づき、前記画像データを補正し、前記データ駆動部に提供する画素補正部をさらに含んでもよい。
【発明の効果】
【００２８】
本発明の実施例によれば、表示パネルに反復画像が表示される場合、光源部のディミングレベルは反復画像に連動せず、あらかじめ設定された固定ディミングレベルに設定されることによって、前記表示パネルの応答速度と前記光源部の応答速度との差によって発生する表示不良（画像の階調が少しずつ移動するように見えるクローリング（ｃｒａｗｌｉｎｇ）現象、点滅現象など）を防止することができる。
【図面の簡単な説明】
【００２９】
【図１】本発明の一実施例に係る表示装置のブロック図である。
【図２】図１に示す光源駆動部のブロック図である。
【図３】図１に示すタイミング制御部のブロック図である。
【図４】図２に示す反復検出部の動作を説明するための概念図である。
【図５】図２に示す反復検出部の動作を説明するための概念図である。
【図６】図２に示す反復検出部の動作を説明するための概念図である。
【図７】図１に示す表示装置に係る光源駆動方法を説明するためのフローチャートである。
【図８】図７に示す光源駆動方法を説明するための概念図である。
【発明を実施するための形態】
【００３０】
以下、図面を参照して本発明の実施例をより詳細に説明する。
【００３１】
図１は本発明の一実施例に係る表示装置のブロック図である。
【００３２】
図１を参照すると、表示装置１０００は光源部１００、光源駆動部２００、タイミング制御部３００、表示パネル４００、データ駆動部５００およびゲート駆動部６００を含む。
【００３３】
光源部１００は表示パネル２００に光を提供する。光源部１００は直下型またはエッジ型であってもよい。直下型の光源部は光を発生する少なくとも１つの光源を含み、光源は表示パネル４００の背面に配置される。エッジ型の光源部は光を表示パネル４００側に出射する導光板と導光板のエッジに配置される少なくとも１つの光源を含む。また、光源部はローカルディミング駆動によって独立的に発光する少なくとも１つの発光ブロックを含んでもよい。
【００３４】
光源駆動部２００は光源部１００に駆動信号ＬＤＳを供給する。光源駆動部２００は、画像データＧに基づいて、表示パネル４００に提供される光の輝度を制御するディミングレベルを生成する。光源駆動部２００はディミングレベルを時間的および空間的ローパスフィルタを介して補正した補正ディミングレベルＤＭｃを生成してもよい。光源駆動部２００は補正ディミングレベルＤＭｃを用い、光源部１００を駆動するための駆動信号ＬＤＳを生成し、光源部１００に供給する。また、光源駆動部２００は補正ディミングレベルＤＭｃをタイミング制御部３００に提供してもよい。
【００３５】
本実施例によると、光源駆動部２００は、表示パネル４００に表示される画像が一定周期で繰り返される反復画像（ｒｅｐｅｔｉｔｉｖｅ  ｐｉｃｔｕｒｅ）であるか否かを検出し、反復画像である場合、あらかじめ設定された固定ディミングレベルに基づいて光源部１００を駆動する。それにより、表示パネル４００に反復画像が表示される間、光源部１００は固定ディミングレベルに対応する一定の輝度の光を提供する。それにより、表示パネル４００の応答速度と光源部１００の応答速度との差によって生じる品質低下（例えば、クローリング現象、点滅現象など）を防ぐことができる。
【００３６】
タイミング制御部３００は表示装置の全体的な駆動タイミングを制御する。例えば、タイミング制御部３００は、データ駆動部５００を制御するためのデータ制御信号ＤＣＳを生成し、ゲート駆動部６００を制御するためのゲート制御信号ＧＣＳを生成する。
【００３７】
また、タイミング制御部３００は、光源駆動部２００から補正ディミングレベルＤＭｃを受信し、補正ディミングレベルＤＭｃに基づき、画像データＤを補正した補正データＤｃをデータ駆動部５００に提供してもよい。
【００３８】
表示パネル４００は複数のゲートラインＧＬ１からＧＬｍ、複数のデータラインＤＬ１からＤＬｎおよび複数の画素Ｐを含む。ゲートラインＧＬ１からＧＬｍは、第１方向Ｄ１に延びる。データラインＤＬ１からＤＬｎは第１方向Ｄ１と交差する第２方向Ｄ２に延びる。画素Ｐのそれぞれは各ゲートラインＧＬ１からＧＬｍと各データラインＤＬ１からＤＬｎに接続されたスイッチング素子ＴＲおよびスイッチング素子ＴＲに電気的に接続された液晶キャパシタＣＬＣを含む。
【００３９】
データ駆動部５００は、データラインＤＬ１からＤＬｎの一端部に接続される。データ駆動部５００は、タイミング制御部３００から提供される補正データＤｃを階調電圧に変換し、データ制御信号ＤＣＳに基づき、階調電圧をデータラインＤＬ１からＤＬｎに提供する。
【００４０】
ゲート駆動部６００はゲートラインＧＬ１からＧＬｍの一端部に接続される。ゲート駆動部６００は、タイミング制御部３００から供給されるゲート制御信号ＧＣＳおよび電圧生成部（図示せず）から提供されるゲートオン／オフ電圧（図示せず）を用いて、複数のゲート信号を生成し、ゲート信号をゲートラインＧＬ１からＧＬｍに順次提供する。
【００４１】
図２は図１に示す光源駆動部のブロック図である。図３は、図１に示すタイミング制御部のブロック図である。
【００４２】
図１、２および図３を参照すると、光源駆動部２００は、ディミングレベル決定部２１０、反復検出部２２０、ディミングレベル補正部２３０および駆動信号生成部２４０を含む。
【００４３】
ディミングレベル決定部２１０は、現在のフレームの画像データＧの階調に係るヒストグラムを用いて、現在のフレームの代表階調を算出する。ディミングレベル決定部２１０は前記代表階調を用いて、光源部１００のディミングレベルＤＭを決める。
【００４４】
反復検出部２００は、ディミングレベル決定部２１０から受信した現在の画像のディミングレベルＤＭが、設定された反復周期で繰り返される反復ディミングモードであるか否かを検出し、反復ディミングモードである場合、現在の画像のディミングレベルを固定ディミングレベルに設定する。反復検出部２００の動作は、図４から図６を参照して詳細に後述する。
【００４５】
本実施例によると、通常ディミングモードの場合、光源部１００は、ディミングレベル決定部２１０で決められたディミングレベルＤＭに対応する輝度の光を発生させ、反復ディミングモードの場合、光源部１００は反復検出部２００で決められた固定ディミングレベルＤＭに対応する輝度の光を発生させる。
【００４６】
ディミングレベル補正部２１０は、ディミングレベル決定部２１０または反復検出部２２０から提供されたディミングレベルを時間的および空間的ローパスフィルタを介して補正し、補正ディミングレベルＤＭｃを出力する。
【００４７】
駆動信号生成部２４０は、補正ディミングレベルＤＭｃを用いて光源部１００を駆動する駆動信号ＬＤＳを生成し、駆動信号ＬＤＳを光源部１００に供給する。
【００４８】
タイミング制御部３００は、画素補正部３１０を含む。画素補正部３１０は、光源駆動部２００から受信した補正ディミングレベルＤＭｃに基づき、画像データＤを補正した補正データＤｃを生成する。例えば、補正ディミングレベルＤＭｃが高輝度に対応するレベルである場合、画像データを本来の階調より低い階調のデータで補正し、補正ディミングレベルＤＭｃが低輝度に対応するレベルである場合、画像データＧを本来の階調より高い階調のデータで補正する。それにより消費電力を減らすことができる。
【００４９】
図４、図５および図６は図２に示す反復検出部の動作を説明するための概念図である。
【００５０】
図１、図２、図４、図５および図６を参照して、反復検出部２２０により反復ディミングモードを検出する方法を説明する。
【００５１】
現在の画像Ｃに対して、１つ前の画像Ｂおよび２つ前の画像Ａに対応する画像データを受信する場合を例として説明する。前記画像は、１フレーム期間（ｆｒａｍｅ  ｐｅｒｉｏｄ）の間に表示パネル４００に表示される少なくとも１つ以上のフレーム画像（ｆｒａｍｅ  ｉｍａｇｅ）を含んでもよい。
【００５２】
図４に示すように、ディミングレベル決定部２１０により、現在の画像Ｃに対応する光源部１００のディミングレベルは第１ディミングレベルａに設定され、１つ前の画像Ｂに対応する光源部１００のディミングレベルは第２ディミングレベルｂに設定され、２つ前の画像Ａに対応するディミングレベルは第１ディミングレベルａに設定される。
【００５３】
反復検出部２２０が現在の画像Ｃに対応する第１ディミングレベルａを受信した場合、反復検出部２２０は、現在の画像Ｃの第１ディミングレベルａと１つ前の画像Ｂの第２ディミングレベルｂとを比べ、現在の画像Ｃが１つ前の画像Ｂに対し変更されたか否かを検出する。
【００５４】
具体的には、１つ前の画像Ｂの第２ディミングレベルｂが、第１基準値ＲＥＦ１より大きいか、または、第２基準値ＲＥＦ２より小さければ、現在の画像Ｃが変更されたと判断する。現在の画像Ｃが変更されたと判断されると、反復検出部２２０は、現在の画像Ｃの第１ディミングレベルａと現在の画像Ｃに対する１つ前の画像Ｂおよび２つ前の画像Ａの第１ディミングレベルａおよび第２ディミングレベルｂをそれぞれ保存する。第１基準値ＲＥＦ１は現在の画像Ｃの第１ディミングレベルａに第１許容値ＢＲＤＲを足した値ａ＋ＢＲＤＲに設定され、第２基準値ＲＥＦ２は、現在の画像Ｃの第１ディミングレベルａから第１許容値ＢＲＤＲを引いた値ａ−ＢＲＤＲに設定される。第１許容値ＢＲＤＲはレジスタに保存されたパラメータである。
【００５５】
一方、１つ前の画像Ｂの第２ディミングレベルｂが、第１基準値ＲＥＦ１より小さいか、または、第２基準値ＲＥＦ２より大きければ、反復検出部２２０は、現在の画像Ｃは反復画像でないと判断する。それに従って、現在の画像Ｃは、ディミングレベル決定部２１０で決められた第１ディミングレベルａに基づいて駆動される。
【００５６】
引き続き、現在の画像Ｃの第１ディミングレベルａと２つ前の画像Ａの第１ディミングレベルａとを比べ、反復ディミングモードを検出する。
【００５７】
例えば、２つ前の画像Ａの第１ディミングレベルａが第３基準値ＲＥＦ３より小さいか、または、第４基準値ＲＥＦ４より大きければ、反復画像であると判断する。第３基準値ＲＥＦ３は、現在の画像Ｃの第１ディミングレベルａに第２許容値ＢＲＳＲを足した値ａ＋ＢＲＳＲであり、第４基準値ＲＥＦ４は、現在の画像Ｃの第１ディミングレベルａから第２許容値ＢＲＳＲを引いた値ａ−ＢＲＳＲに設定される。第２許容値ＢＲＳＲはレジスタに保存されたパラメータである。
【００５８】
一方、２つ前の画像Ａの第１ディミングレベルａが第３基準値ＲＥＦ３より大きいか、または、第４基準値ＲＥＦ４より小さければ、反復検出部２２０は、現在の画像Ｃは反復画像でないと判断する。これに従い、現在の画像Ｃはディミングレベル決定部２１０で決められた第１ディミングレベルａに基づいて駆動される。
【００５９】
図６に示すように、ディミングレベルが第１反復パターン（ａ→ｂ→ａ）で繰り返される場合、第１フラグ（Ｆｌａｇ１）を設定し、ディミングレベルが第２反復パターン（ａ→ｂ→ａ→ｂ）で繰り返される場合、第２フラグ（Ｆｌａｇ２）を設定し、ディミングレベルが第３反復パターン（ａ→ｂ→ａ→ｂ→ａ）で繰り返される場合、第３フラグ（Ｆｌａｇ３）等を設定してもよい。反復パターンの選択はレジスタに保存された選択パラメータによって決められてもよい。例えば、選択レジスタに第１フラグ（Ｆｌａｇ１）が保存された場合、反復検出部２２０は受信したディミングレベルが第１反復パターン（ａ→ｂ→ａ）を有する場合、反復ディミングモードが検出される。
【００６０】
反復ディミングモードが検出されると、反復検出部２２０は、現在の画像Ｃのディミングレベルをディミングレベル決定部２１０で決められた第１ディミングレベルａと無関係に設定された固定ディミングレベルに設定する。固定ディミングレベルは現在の画像のディミングレベルと１つ前の画像のディミングレベルのうちの１つに設定されてもよい。例えば、固定ディミングレベルは現在の画像Ｃの第１ディミングレベルａと１つ前の画像Ｂの第２ディミングレベルｂのうち、大きい方の値または小さい方の値に設定されてもよい。固定ディミングレベルはレジスタに保存されたレベルパラメータによって決められ、例えば、レベルパラメータが１であれば、現在の画像Ｃの第１ディミングレベルａと１つ前の画像Ｂの第２ディミングレベルｂのうち大きい方の値、すなわち第１ディミングレベルａに設定され、レベルパラメータが０であれば、現在の画像Ｃの第１ディミングレベルａと１つ前の画像Ｂの第２ディミングレベルｂのうち小さい値、すなわち第２ディミングレベルｂに設定されてもよい。
【００６１】
本実施例によれば、反復ディミングモードが検出される場合、設定された固定ディミングレベルで光源部１００が発光することによって表示パネル４００に表示される反復画像に対し、一定の輝度の光が提供される。それによって、表示パネル４００の応答速度と光源部１００の応答速度との差により発生する表示不良を防ぐことができる。
【００６２】
図７は図１に示す表示装置に係る光源駆動方法を説明するためのフローチャートである。図８は図７に示す光源駆動方法を説明するための概念図である。
【００６３】
図１、２、図７および図８を参照すると、反復検出部２２０は現在の画像ｋの第１ディミングレベルａを受信する（ステップＳ１１０）。
【００６４】
反復検出部２２０は、１つ前の画像ｋ−１の第２ディミングレベルｂと第１基準値ＲＥＦ１および第２基準値ＲＥＦ２とを比較する（ステップＳ１２０）。第１基準値ＲＥＦ１は現在の画像ｋの第１ディミングレベルａに第１許容値ＢＲＤＲを足した値ａ＋ＢＲＤＲに設定され、第２基準値ＲＥＦ２は現在の画像ｋの第１ディミングレベルａから第１許容値ＢＲＤＲを引いた値ａ−ＢＲＤＲに設定される。第１許容値ＢＲＤＲはレジスタに保存されたパラメータである。
【００６５】
１つ前の画像ｋ−１の第２ディミングレベルｂが、第１基準値ＲＥＦ１より大きいか、または第２基準値ＲＥＦ２より小さければ、現在の画像ｋが変更されたと判断し、反復検出部２２０は、現在の画像ｋの第１ディミングレベルａと現在の画像ｋに対する１つ前の画像Ｂおよび２つ前の画像Ａの第１ディミングレベルａおよび第２ディミングレベルｂを保存する（ステップＳ１３０）。
【００６６】
一方、１つ前の画像ｋ−１のディミングレベルが第１基準値ＲＥＦ１より小さいか、または第２基準値ＲＥＦ２より大きければ、現在の画像ｋが反復画像ではないと判断し、それに従い、現在の画像ｋを通常ディミングモードで駆動する（ステップＳ１７０）。
【００６７】
引き続き、現在の画像ｋの第１ディミングレベルａと２つ前の画像ｋ−２の第１ディミングレベルａとを比較する（ステップＳ１４０）。
【００６８】
例えば、２つ前の画像ｋ−２の第１ディミングレベルａが、第３基準値ＲＥＦ３より小さいか、または、第４基準値ＲＥＦ４より大きければ、現在の画像ｋが反復されたと判断する（ステップＳ１４０）。第３基準値ＲＥＦ３は、現在の画像ｋの第１ディミングレベルａに第２許容値ＢＲＳＲを足した値ａ＋ＢＲＳＲに設定され、第４基準値ＲＥＦ４は、現在の画像ｋの第１ディミングレベルａから第２許容値ＢＲＳＲを引いた値ａ−ＢＲＳＲに設定される。
【００６９】
一方、２つ前の画像ｋ−２のディミングレベルが第３基準値ＲＥＦ３より大きいか、または、第４基準値ＲＥＦ４より小さければ、現在の画像ｋは反復画像ではないと判断され、それにしたがって、現在の画像ｋを通常ディミングモードで駆動する（ステップＳ１７０）。
【００７０】
反復検出部２２０は、ディミングレベルがレジスタに保存された選択パラメータに対応する反復パターンを有するか否かを判断する（ステップＳ１５０）。
【００７１】
選択パラメータが、第１反復パターン（ａ→ｂ→ａ）を有する第１フラグ（Ｆｌａｇ１）である場合、反復検出部２２０は、現在の画像ｋから反復ディミングモードで駆動する（ステップＳ１６０）。一方、反復検出部２２は、選択パラメータが第２反復パターン（ａ→ｂ→ａ→ｂ）を有する第２フラグ（Ｆｌａｇ２）であれば、次の画面ｋ＋１から反復ディミングモードで駆動してもよく、第３反復パターン（ａ→ｂ→ａ→ｂ→ａ）を有する第３フラグ（Ｆｌａｇ３）であれば、次の次の画面ｋ＋１から反復ディミングモードで駆動してもよい。
【００７２】
反復ディミングモードの場合、反復検出部２２０は、現在の画像ｋのディミングレベルをレジスタに保存されたレベルパラメータによって決められた固定ディミングレベルに設定する。
【００７３】
例えば、図８を参照すると、レベルパラメータが０である場合、固定ディミングレベルは、現在の画像ｋの第１ディミングレベルａおよび１つ前の画像ｋ−１の第２ディミングレベルｂのうちの小さい方の値、すなわち、第２ディミングレベルｂに設定される。したがって、現在の画像ｋのディミングレベルは固定ディミングレベルｂに設定される。
【００７４】
図８に示すように、２つ前の画像ｋ−２および１つ前の画像ｋ−１のディミングレベルは反復ディミングモードが検出される前のディミングレベルであるから、ディミングレベル決定部２１０で決められた第１ディミングレベルａおよび第２ディミングレベルｂに設定され、現在の画像ｋは反復ディミングモードが検出された後のディミングレベルであるから固定ディミングレベル、すなわち第２ディミングレベルｂに設定される。したがって、ディミングレベルが繰り返される反復ディミング区間の間、光源部１００は、固定ディミングレベルである第２ディミングレベルｂに基づいて駆動される。
【００７５】
反復ディミング区間の後、現在の画像ｑの第３ディミングレベルｉが受信されると、反復検出部２２０は、現在の画像ｑに対する１つ前の画像ｑ−１の第１ディミングレベルａと比較する（ステップＳ１２０）。現在の画像ｑの第３ディミングレベルｉは第２基準値ＲＥＦ２より大きいので、現在の画像ｑは反復画像ではないと判断される。それに従い、現在の画像ｑは通常ディミングモードで駆動される（ステップＳ１７０）。
【００７６】
したがって、現在の画像ｑのディミングレベルは、ディミングレベル決定部２１０で決められた第３ディミングレベルｉに維持され、現在の画像ｑが表示パネル４００に表示される間、光源部１００は、第３ディミングレベルｉに対応する輝度の光を発生する。
【００７７】
以上の本発明の実施例によれば、表示パネルに反復画像が表示される区間の間、光源部のディミングレベルは反復画像と連動せず、設定された固定ディミングレベルに設定されることによって、表示パネルの応答速度と光源部の応答速度との差によって発生した表示不良（クローリング現象、点滅現象など）を防ぐことができる。
【００７８】
以上、実施例を参照して説明したが、当該技術分野における熟練した当業者は下記の特許請求の範囲に記載された本発明の思想から逸脱しない範囲内で本発明を多様に修正および変更することが可能であることを理解できる。
【符号の説明】
【００７９】
１００       光源部                     ２００       光源駆動部
３００       タイミング制御部           ４００       表示パネル
５００       データ駆動部               ６００       ゲート駆動部
２１０       ディミングレベル決定部     ２２０       反復検出部
２３０       ディミングレベル補正部     ２４０       駆動信号生成部
３１０       画素補正部
【図１】
2015052783.tif 000003
【図２】
2015052783.tif 000004
【図３】
2015052783.tif 000005
【図４】
2015052783.tif 000006
【図５】
2015052783.tif 000007
【図６】
2015052783.tif 000008
【図７】
2015052783.tif 000009
【図８】
2015052783.tif 000010